(57)【要約】【課題】店舗等の就業者の出退勤時刻の記録において、就業者が自身の出退勤時刻の記録を容易に確認することのできるＩＣカード読取装置を提供する。【解決手段】ＩＣカード読取部１４のＩＣカード読取面Ｓ以外を磁気シールド１５で覆い、ＩＣカード読取面Ｓ以外にＩＣカードを近接させても、ＩＣカードに記録されている識別情報を読み取れないようにする。また、時刻等の情報を表示する表示部１１を上述したＩＣカード読取面Ｓの裏側に配置する。以上の特徴を有するＩＣカード読取装置を用いて、店長が、就業者の所持するＩＣカードを読み取り、出退勤時刻の記録を行った場合、表示部１１が就業者と店長の視界に入りやすい位置にくるため、就業者と店長はリアルタイムに就業者の出退勤時刻の記録を確認することができる。【選択図】図２
2008204121.tif 000002
【特許請求の範囲】
【請求項１】
ケースと、
前記ケースの一面に配置され、ＩＣカードに記録された識別情報を読み取るＩＣカード読取部と、
前記ケース内で、前記ＩＣカード読取部を覆うように配置された電磁シールドと、
時刻を計時する現在時刻計時部と、
前記ケースの前記一面に対向する対向面に配置され、前記時刻を表示する表示装置と、
前記ＩＣカード読取部により、チェック対象のＩＣカードに記録されている識別情報を読み取って該識別情報から該チェック対象のＩＣカードを所有する就業者を特定できた場合に、前記現在時刻計時部で計測している時刻を、該就業者の就業時間の管理用の時刻として記録媒体に記録する制御手段と、
を備えることを特徴とするＩＣカード読取装置。
【請求項２】
前記制御手段は、
前記チェック対象のＩＣカードの読み取りに対応してその前又は後に、前記ＩＣカード読取部により、別のＩＣカードに記録されている識別情報を読み取って該識別情報から前記管理用の時刻の承認者を特定できた場合に前記記録媒体への記録を行うことを特徴とする請求項１に記載のＩＣカード読取装置。
【請求項３】
指示を入力する操作部を備え、
前記制御手段は、前記操作部から入力された指示に対応する前記管理用の時刻として前記現在時刻計時部で計測している時刻を前記記録媒体に記録することを特徴とする請求項１又は２に記載のＩＣカード読取装置。
【請求項４】
前記操作部は、前記就業者の就業開始時刻を記録する指示と就業終了時刻を記録する指示とを選択して入力する選択部を備え、
前記制御部は、前記選択部によって選択された指示に相当する情報を前記現在時刻計時部で計時している時刻とともに前記表示部に表示させる、
ことを特徴とする請求項３に記載のＩＣカード読取装置。
【請求項５】
前記記録媒体に記録した就業時間の管理用の時刻を、外部装置に送信する送信手段を備えることを特徴とする請求項１乃至４のいずれか１項に記載のＩＣカード読取装置。
【請求項６】
前記表示装置の表示面の傾きを検出するセンサと、
前記表示面の傾きが所定の範囲にある場合にのみ、前記ＩＣカード読取部による前記チェック対象のＩＣカードの読み取りを可能とする読取制限手段と、
を備えることを特徴とする請求項１乃至５のいずれか１項に記載のＩＣカード読取装置。
【発明の詳細な説明】
【技術分野】
【０００１】
本発明は、ＩＣカードに記憶されている従業員（就業者）の識別情報を読み取り、そのときの時刻を記録する、タイムレコーダーとしての機能を有するＩＣカード読取装置に関する。
【背景技術】
【０００２】
従来より、ＩＣカードに記憶されている従業員の識別情報を読み取り、そのときの時刻を記録する、タイムレコーダーとしての機能を有するＩＣカード読取装置が知られている（例えば、特許文献１参照）。
かかるＩＣカード読取装置は、店舗の従業員の勤怠を管理するシステム等に利用される。
【０００３】
このようなシステムにおいて、ＩＣカードには、例えば従業員番号のような従業員の識別情報（以下ＩＤという）が記録されている。従業員が、出退勤時に、このＩＣカードを店舗内に設置されているＩＣカード読取装置に近接させると、ＩＣカード読取装置は、ＩＣカードに記録されているＩＤを読み取り、そのときの時刻を記録する。そして記録されたデータは、本部の管理サーバーに転送され、従業員の給与計算などに利用される。
【特許文献１】特開平９−１８５７４０号公報（第４貢、図３、４、５）
【発明の開示】
【発明が解決しようとする課題】
【０００４】
ここで、上述した出退勤時刻の記録作業は、承認者たる店長の監視、承認無しに、従業員が単独で行うことが可能な作業である。そのため、従業員は実際に仕事を開始する時刻よりも早く出勤時刻の記録を行ったり、または実際に仕事を終了した時刻よりも後に退勤時刻の記録を行ったり、又は自身のＩＣカードを他の従業員等に渡して、代わりに出勤時刻の記録をしてもらったりすることが可能となる。このような出退勤時刻の記録がなされた場合、実際の労働時間よりも水増しされた労働時間となるため、店長は余分な賃金を支払わなければならなくなる。
【０００５】
一方、店長自らがＩＣカード読取装置を対象となる従業員のＩＣカードに近接させて出退勤時刻の記録作業を行うことも可能である。その場合は上述した従業員による不正を防止することができる。
【０００６】
しかしながら、その場合、店長が、従業員に対して自身の出退勤時刻の記録がきちんとなされたのかを確認できないように出退勤時刻の記録を行うことが可能となる。そのため、出退勤時刻の記録がなされた場合には、従業員は自身の出退勤時刻の記録がきちんと行われたのか分からず不安になり、店長との間に不信感が生まれ、それにより仕事の効率が低下する等という問題を有する。
【０００７】
本発明は、上記の問題に鑑みてなされたものであり、従業員とその雇い主とが互いに確認しながら出退勤用の時刻の記録を行うことがでるＩＣカード読取装置を提供することを目的とする。
【課題を解決するための手段】
【０００８】
上記目的を達成するため、本発明の観点に係るＩＣカード読取装置は、
ケースと、
前記ケースの一面に配置され、ＩＣカードに記録された識別情報を読み取るＩＣカード読取部と、
前記ケース内で、前記ＩＣカード読取部を覆うように配置された電磁シールドと、
時刻を計時する現在時刻計時部と、
前記ケースの前記一面に対向する対向面に配置され、前記時刻を表示する表示装置と、
前記ＩＣカード読取部により、チェック対象のＩＣカードに記録されている識別情報を読み取って該識別情報から該チェック対象のＩＣカードを所有する就業者を特定できた場合に、前記現在時刻計時部で計測している時刻を、該就業者の就業時間の管理用の時刻として記録媒体に記録する制御手段と、
を備えることを特徴とする。
【０００９】
なお、前記制御手段は、
前記チェック対象のＩＣカードの読み取りに対応してその前又は後に、前記ＩＣカード読取部により、別のＩＣカードに記録されている識別情報を読み取って該識別情報から前記管理用の時刻の承認者を特定できた場合に前記記録媒体への記録を行ってもよい。
【００１０】
また、指示を入力する操作部を備え、
前記制御手段は、前記操作部から入力された指示に対応する前記管理用の時刻として前記現在時刻計時部で計測している時刻を前記記録媒体に記録してもよい。
【００１１】
また、前記操作部は、前記就業者の就業開始時刻を記録する指示と就業終了時刻を記録する指示とを選択して入力する選択部を備え、
前記制御部は、前記選択部によって選択された指示に相当する情報を前記現在時刻計時部で計時している時刻とともに前記表示部に表示させてもよい。
【００１２】
また、前記記録媒体に記録した就業時間の管理用の時刻を、外部装置に送信する送信手段を備えてもよい。
【００１３】
また、前記表示装置の表示面の傾きを検出するセンサと、
前記表示面の傾きが所定の範囲にある場合にのみ、前記ＩＣカード読取部による前記チェック対象のＩＣカードの読み取りを可能とする読取制限手段と、
を備えてもよい。
【発明の効果】
【００１４】
本発明のＩＣカード読取装置は、チェック対象のＩＣカードを読み取る際には、ＩＣカード読取部が配置された一面だけで読み取るので、必ず、表示面が外側に配置される。また、ＩＣカード読取部は、ケース内で電磁シールドで覆われるので、ＩＣカード読取部が配置された一面だけ、ＩＣカードの読み取りが可能になる。よって、例えば、従業員とその雇い主とが互いに時刻を確認しながら、出退勤用の時刻の記録を行うことができる。
【発明を実施するための最良の形態】
【００１５】
以下、本発明の実施形態に係るＩＣカード読取装置を、図面を参照して説明する。尚、本実施形態でのＩＣカード読取装置は、時刻の登録を行うタイムレコーダーとして機能する。
【００１６】
図１は、本発明の実施形態に係るＩＣカード読取装置１の外観を示す図である。
図２は、図１のＩＣカード読取装置１の内部を示す図である。
図３は、図１のＩＣカード読取装置１の制御回路を示すブロック図である。
このＩＣカード読取装置１は、図１、図２に示すように、ケース１０と、表示部１１と、操作部１２と、制御基板１３と、ＩＣカード読取部１４と、磁気シールド１５とを備えている。
【００１７】
表示部１１は、例えば液晶パネルで構成され、ケース１０の上面１０ａ側に組み込まれている。表示部１１の表示面がケース１０から露出し、表示部１１の表示面には、現在の時刻及び後述する操作部１２によって選択された指示が表示される。
【００１８】
操作部１２は、ボタンスイッチ１２ａ及びボタンスイッチ１２ｂを備えている。ボタンスイッチ１２ａ及びボタンスイッチ１２ｂは、ケース１０の上面１０ａに、表示部１１に併設されている。ボタンスイッチ１２ａの表面には、「出勤」の文字が印字され、就業者の出勤時刻を記録する場合に押下される。ボタンスイッチ１２ｂの表面には、「退勤」の文字が印字され、就業者が退勤する場合に押下される。
【００１９】
ＩＣカード読取部１４は、ケース１０の底面１０ｂ側に位置し、コイル状のアンテナ回路が内蔵されている。このアンテナ回路には、13.56ＭＨｚのキャリア周波数の電流が流され、それによりアンテナ回路の近傍には電磁界が発生する。また、上記キャリア周波数にデータ要求信号を重畳してアンテナ回路から送信する。
【００２０】
また、読取対象となるＩＣカード内にも、コイル状のアンテナ回路が内蔵されており、アンテナ回路は、ＣＰＵや識別情報が記録されているメモリ等からなる集積回路に接続されている。
【００２１】
そのため、ＩＣカード読取部１４にＩＣカードを近接させると、電磁誘導により、ＩＣカード内のアンテナ回路に電流が流れ、集積回路を駆動させるための電力が供給される。また、ＩＣカードは、ＩＣカード読取部１４から送信されたデータ要求信号をアンテナ回路を介して受信すると、ＩＣカードのメモリ内に記録されている情報を読出し、それを変調した電波信号をＩＣカード読取装置１に送信する。そして、ＩＣカード読取部１４は、アンテナ回路でその電波信号を受信し、復調してＩＣカードから送信された情報を取得する。
以上のしくみにより、ＩＣカード読取部１４は、ＩＣカードを近接させたときに、ＩＣカードに記録された就業者等の識別情報（以下ＩＤという）を読み取る。
【００２２】
ケース１０内で、磁気シールド１５は、ＩＣカード読取部１４の底面１０ｂ側以外をを覆うように配置されている。磁気シールド１５は、透磁性の強い鉄等からなり、磁界をバイパスさせることで、磁界が磁気シールド１５を越えて進入するのを防ぐ。これにより、ケース１０の底面１０ｂ側が読取面Ｓとなり、ケース１０の底面１０ｂに対峙した状態のＩＣカードからしか、情報を読み取ることができない構成になっている。
【００２３】
制御基板１３には、ＩＣカード読取装置１全体を制御する制御回路が形成されている。制御回路は、図３に示すようにＲＯＭ（Read Only Memory）１３１と、ＲＡＭ（Random Access Memory）１３２と、計時部１３３と、記録部１３４と、通信部１３５と、ＣＰＵ（Central Processing Unit）１３６と、からなる。
【００２４】
ＲＯＭ１３１は、ＣＰＵ１３６が実行するためのプログラムを記憶するものであり、ＣＰＵ１３６に接続されている。
ＲＡＭ１３２は、ＣＰＵ１３６に接続され、ＣＰＵ１３６がＲＯＭ１３１に記憶されたプログラムを実行するときのワークスペースしてＲＡＭ１３２の記憶領域が用いられる。
計時部１３３は、ＣＰＵ１３６に接続され、現在の時刻を計時する。
【００２５】
記録部１３４は、フラッシュメモリ等の不揮発性の半導体メモリで構成されていてもよいし、ハードディスクドライブによって構成されていてもよい。記録部１３４には、事前に店長の識別符号や就業者の識別符号が登録されると共に、逐次、ＩＣカードから読み取った識別情報とその時刻と操作部１２で選択されている指示をあらわす情報とを対応付けて記録する。
ＣＰＵ１３６は表示部１１、操作部１２、ＩＣカード読取部１４に接続されると共に通信部１３５に接続されている。
【００２６】
通信部１３５は、ＩＣカード読取部とは別のアンテナ等を有し、無線通信によって外部装置と情報の送受信を行う。
【００２７】
通信部１３５を備えるＩＣカード読取装置１は、例えば図４に示すような勤怠管理システム３０に組み込まれる。
図４に示す勤怠管理システム３０は、店舗Ａ〜Ｃにそれぞれ配置されたＩＣカード読取装置１Ａ〜１Ｃと、各店舗Ａ〜Ｃにそれぞれ配置された複数の店舗端末３１Ａ〜３１Ｃと、管理本部に配置された管理サーバー３３とで構成される。
【００２８】
ＩＣカード読取装置１Ａ〜１Ｃは、上述したＩＣカード読取装置１と同一であり、図１、２、３に示す構成を有するものである。各店舗Ａ〜Ｃにおいて、ＩＣカード読取装置１Ａ〜１Ｃと店舗端末３１Ａ〜３１Ｃとは、無線ＬＡＮ３２Ａ〜３２Ｃによって接続されている。複数の店舗端末３１Ａ〜３１Ｃと管理サーバ３３とは、ＷＡＮ（Wide Area Network）３４により接続されている。
【００２９】
店舗端末３１Ａ〜３１Ｃは、無線ＬＡＮ３２Ａ〜３２Ｃを介して、ＩＣカード読取装置１Ａ〜１Ｃの各ＣＰＵ１３６に情報送信命令を出力する。ＩＣカード読取装置１Ａ〜１Ｃは、ＩＣカードから取得した識別情報と時刻の情報とを出退勤情報として通信部１３５から店舗端末１Ａ〜１Ｃに送信する。各店舗端末３１Ａ〜３１Ｃは、例えば各店舗Ａ，Ｂ，Ｃにおける出退勤情報の集計を行う。
【００３０】
管理サーバー３３は、ＷＡＮ３４を介して、各店舗端末３１Ａ〜３１Ｃに情報送信命令を出力する。店舗端末３１Ａ〜３１Ｃは、情報送信命令に応答して、出退勤情報の各店舗での集計結果或いは各店舗で取得した識別情報及び時刻の情報を管理サーバ３３に送信する。
【００３１】
次に、ＩＣカード読取装置１を用いた就業者の出退勤時刻の記録方法とＩＣカード読取装置１の動作を説明する。
【００３２】
まず店長は、店舗に出勤または店舗から退勤する従業員を確認し、管理情報を操作部１２より選択する。例えば、出勤時刻の記録を行う場合にはボタンスイッチ１２ａを、退勤時刻の記録を行う場合にはボタンスイッチ１２ｂを押下する。ＣＰＵ１３６は、押下されたボタンに対応する管理情報（出勤か退勤）を表示部１１に表示する。
【００３３】
次に店長は、自分の所持しているＩＣカードをＩＣカード読取装置１のカード読取面Ｓに近接させる。これにより、カード読取面Ｓから放射される電磁波を介して、ＩＣカードに記憶されている店長の識別符号が読み取られる。ＣＰＵ１３６は、計時部１３３で計時している現在の時刻と読み取った店長の識別符号とを対応させてＲＡＭ１３２に記憶させる。
【００３４】
ＣＰＵ１３６は、このＲＡＭ１３２に記憶された識別情報が店長のものであることを記録部１３４に事前に登録されている識別符号から確認し、確認できた場合にその識別符号を出退勤時刻の承認者の識別符号とする。なお、ＣＰＵ１３６は、計時部１３３で計測する時刻を監視し、店長の識別符号がＲＡＭ１３２に記憶してから所定の時間が経過するまで店長の識別符号をＲＡＭ１３２に保持させ、所定時間が経過したときに、ＲＡＭ１３２に記憶されている店長の識別符号とそれに対応して記憶される時刻を消去する。
【００３５】
店長は、自分のＩＣカードをＩＣカード読取装置１に読み取らせた後、前述の所定時間が経過するまでの間に、就業者に、その就業者が所有するＩＣカードを提示させる。
就業者がＩＣカードを例えば水平にして提示すると、店長はＩＣカード読取装置１のカード読取面ＳをＩＣカードに向けて近接させる。これにより、ＩＣカード読取面Ｓから放射される電磁波を介して、ＩＣカードに記憶されている就業者の識別符号が読み取られる。このＩＣカードの読み取りを行うときには、ＩＣカード読取装置１の表示部１１は上方に向くので、就業者及び店長の双方が、その時点の時刻を確認することができる。
【００３６】
ＣＰＵ１３６は、ＩＣカードから読み取られた識別情報が記録部１３４に事前に登録された就業者の識別情報であることを確認すると共に、ＲＡＭ１３２に店長の識別情報が保持されていることを認識する。これらの確認ができた場合、ＣＰＵ１３６は、ＩＣカードから読み取った就業者の識別情報とその時点で計時部１３３で計時している時刻と、その時点で操作部１２２によって選択されている管理情報とを対応づけて記録部１３４に記録する。
【００３７】
ＣＰＵ１３６は、前述したように、通信部１３５を介して店舗端末から情報送信命令を受け取った場合、この命令に従って、記録部１３４に記録された識別情報と管理情報と時刻情報とを記憶部１３４から読み出して、情報送信命令の送信元の店舗端末に出力する。
【００３８】
次に、本実施形態のＩＣカード読取装置１の利点を説明する。
（１）  図５は、上述の作業を行っているときの店長ｅと、従業員ｗ、ＩＣカード読取装置１と、ＩＣカードＣ、とを模式的に表したものである。
前述したように、ＩＣカード読取部１４は、そのカード読取面Ｓ以外が磁気シールド１５で覆われている。したがってＩＣカード読取面Ｓからしか、ＩＣカードＣに記録されている情報を読み取ることはできない。そのため、ＩＣカードＣに記録されている情報を読み取るときには、必ずそのＩＣカード読取面ＳをＩＣカードＣに近接させることになる。よってそのとき、ＩＣカード読取面Ｓに対向する位置にある表示部１１が、出退勤時刻の記録の対象者と被対象者である店長ｅと従業員ｗ、両方の視界に入りやすい位置にくることになる。よって、店長ｅと従業員ｗは表示部１１に表示される、従業員ｗの出退勤時間の記録に関する情報を互いに確認しながら、出退勤時間の記録を行うことが可能となる。つまり、店長側が不正を行えないようになるので、就業者の信頼が得られる。
【００３９】
（２）店長のＩＣカードから店長の識別符号を読み取り、その識別符号を用いて就業者の出退勤時刻の承認を行う構成であるので、就業者がＩＣカード読取装置１を勝手に使用して出退勤時刻を不正に記憶させようとしても、それができない。
【００４０】
なお、本発明は、上記実施形態に限定されるものではなく、種々の変形が可能である。その変形例としては、例えば次のようなものがある。
【００４１】
（ａ）上記実施形態では、ボタンスイッチ１２ａ，１２ｂを備え、指示としての管理情報を選択する構成にしたが、例えば計時部１３３が計時する時刻に応じて管理情報が選択される構成にしてもよい。例えば、午前８時から午後１時までは所定の管理情報として出勤が選択され、午後１時から午後７時までは所定の管理情報として退勤が選択されるようにしてもよい。
【００４２】
（ｂ）ボタンスイッチ１２ａ，１２ｂを１つのボタンスイッチとし、その１つのボタンスイッチを押下する毎に、管理情報を変更するようにしてもよい。また、管理情報としてさらに外出時刻や戻り時刻等を選択できるようにしてもよい。
【００４３】
（ｃ）就業者の出退勤時刻の承認者は、店長である必要はなく、他の管理者でもよい。さらに、就業者同士で承認できるようにしてもよい。
【００４４】
（ｄ）ＩＣカード読取装置１に傾きセンサを備え、その傾きセンサで表示部１１の表示面の傾きを推定し、その傾きが所定の範囲にない場合には、ＩＣカードから読み取った情報の記録を禁止する構成にしてもよい。このようにすると、就業者と店長とが表示部１１の表示を確実に見える状態でないと、識別情報の記録ができなくなり、不正を防止することができる。
【００４５】
（ｅ）ボタンスイッチ１２ａ，１２ｂは、表示部１１に表示させて押下するタッチパネル式のものであってもよい。
【００４６】
（ｆ）店長のＩＣカードからの読み取りを就業者のＩＣカードの読み取りよりも後で行える構成にしてもよい。この場合、就業者のＩＣカードから読み取った情報がＲＡＭ１３２に一旦格納され、店長のＩＣカードの読み取りが終了してから記録部１３４に記録される。
【図面の簡単な説明】
【００４７】
【図１】本発明の実施形態に係るＩＣカード読取装置１の正面図（ａ）と背面図（ｂ）である。
【図２】図１に示すＩＣカード読取装置の内部を模式的に表した図である。
【図３】図１に示すＩＣカード読取装置の制御回路を示すブロック図である。
【図４】図１に示すＩＣカード読取装置を勤怠管理システムに適用した場合の構成を示すである。
【図５】出退勤時刻の記録をするときの、店長と従業員とＩＣカード読取装置との位置関係を示した模式図である。
【符号の説明】
【００４８】
１          ＩＣカード読取装置
１０        ケース
１１        表示部
１２        操作部
１３        制御基板
１４        ＩＣカード読取部
１５        磁気シールド
Ｓ      カード読取面
【図１】
2008204121.tif 000003
【図２】
2008204121.tif 000004
【図３】
2008204121.tif 000005
【図４】
2008204121.tif 000006
【図５】
2008204121.tif 000007